(57)【要約】  ＣＳドメインとＰＳドメインとの間でモビリティ管理（ＭＭ）データを同期させるためのシステムおよび方法。一実施形態においては、ＣＳドメインのビジター・ロケーション・データベースは、モバイル・デバイスについてのＭＭデータを記憶する。ビジター・ロケーション・データベースが、モビリティ管理についてのＭＭノードについての関連付けを追加するようにモバイル・デバイスについてのＭＭデータをアップデートする場合、ビジター・ロケーション・データベースは、先行する関連付けが別のＭＭノードに対して存在したかどうかを決定する。そうである場合、ビジター・ロケーション・データベースは、他のＭＭノードとの先行する関連付けを解除し、関連付けが解除されていることを示す解放インジケータを他のＭＭノードに対して送信する。解放インジケータに応じて、他のＭＭノードは、ビジター・ロケーション・データベースとの関連付けを解除し、モバイル・デバイスについてのＭＭデータは、ＣＳドメインとＰＳドメインとの間で同期させられる。
2015510336.tif 000002
【特許請求の範囲】
【請求項１】
モバイル・デバイスに対して音声通話を提供することができる回路交換（ＣＳ）ドメインについてのビジター・ロケーション・データベースを備え、
前記ビジター・ロケーション・データベースは、ＰＳドメインにおいて前記モバイル・デバイスに接続するための第１のパケット交換（ＰＳ）データ・ネットワークの第１のモビリティ管理（ＭＭ）ノードと通信するように構成され、
前記ビジター・ロケーション・データベースは、前記第１のＭＭノードとの関連付けを示す、前記モバイル・デバイスについてのＭＭデータを記憶するように構成され、
前記ビジター・ロケーション・データベースは、前記モバイル・デバイスが、第２のＰＳデータ・ネットワークへと移動していることを示す表示の受信に応じて、
前記第１のＭＭノードとの前記関連付けを解除するように、前記モバイル・デバイスについての記憶される前記ＭＭデータをアップデートし、
前記第１のＭＭノードとの前記関連付けが解除されていることを示す解放インジケータを生成し、
前記第１のＭＭノードによって前記モバイル・デバイスについて記憶される対応するＭＭデータから前記ビジター・ロケーション・データベースとの関連付けを解放するように前記第１のＭＭノードに指示するために前記解放インジケータを前記第１のＭＭノードに対して送信する
ように構成されている、
装置。
【請求項２】
前記ビジター・ロケーション・データベースは、前記モバイル・デバイスが、前記第２のＰＳデータ・ネットワークへと移動していることを示す前記表示の前記受信に応じて、前記第２のＰＳデータ・ネットワークの第２のＭＭノードとの前記モバイル・デバイスの関連付けを追加するように前記モバイル・デバイスについての前記ＭＭデータをアップデートするように構成されている、
請求項１に記載の装置。
【請求項３】
前記第１のＭＭノードをさらに備え、
前記第１のＭＭノードは、汎用パケット無線サービス（ＧＰＲＳ）ネットワークのサービングＧＰＲＳサポート・ノード（ＳＧＳＮ）を備え、前記ＳＧＳＮは、Ｇｓインターフェースの上で前記ビジター・ロケーション・データベースに接続するように構成され、
前記ビジター・ロケーション・データベースは、前記Ｇｓインターフェースのために定義されるメッセージの情報要素（ＩＥ）の中に前記解放インジケータを挿入するように構成されている、請求項１に記載の装置。
【請求項４】
前記第１のＭＭノードをさらに備え、
前記第１のＭＭノードは、ロング・ターム・エボリューション（ＬＴＥ）ネットワークのモビリティ管理エンティティ（ＭＭＥ）を備え、前記ＭＭＥは、ＳＧｓインターフェースの上で前記ビジター・ロケーション・データベースに接続するように構成され、
前記ビジター・ロケーション・データベースは、前記ＳＧｓインターフェースのために定義されるメッセージの情報要素（ＩＥ）の中に前記解放インジケータを挿入するように構成されている、請求項１に記載の装置。
【請求項５】
前記ビジター・ロケーション・データベースは、前記ＣＳドメインのビジター・ロケーション・レジスタ（ＶＬＲ）を備える、
請求項１に記載の装置。
【請求項６】
モバイル・デバイスに対して音声通信を提供することができる回路交換（ＣＳ）ドメインのビジター・ロケーション・データベースにおいて動作可能な方法であって、前記ビジター・ロケーション・データベースは、ＰＳドメインにおいて前記モバイル・デバイスを接続するための第１のパケット交換（ＰＳ）データ・ネットワークの第１のモビリティ管理（ＭＭ）ノードと通信し、かつ前記ＰＳドメインにおいて前記モバイル・デバイスを接続するための第２のＰＳデータ・ネットワークの第２のＭＭノードと通信するように構成され、前記方法は、
前記第１のＭＭノードとの関連付けを示す、前記モバイル・デバイスについてのＭＭデータを前記ビジター・ロケーション・データベースに記憶するステップと、
前記モバイル・デバイスが、前記第１のＰＳデータ・ネットワークから前記第２のＰＳデータ・ネットワークへと移動していることを示す表示の受信に応じて、
前記第１のＭＭノードとの前記関連付けを解除するように、前記モバイル・デバイスについての前記ＭＭデータをアップデートするステップと、
前記第１のＭＭノードとの前記関連付けが解除されていることを示す解放インジケータを生成するステップと、
前記第１のＭＭノードによって前記モバイル・デバイスについて記憶される対応するＭＭデータから前記ビジター・ロケーション・データベースとの関連付けを解放するように前記第１のＭＭノードに指示するために前記解放インジケータを前記第１のＭＭノードに対して送信するステップと
を含む方法。
【請求項７】
前記モバイル・デバイスが、前記第２のＰＳデータ・ネットワークへと移動していることを示す前記表示の前記受信に応じて前記第２のＰＳデータ・ネットワークの第２のＭＭノードとの関連付けを追加するように前記モバイル・デバイスについての前記ＭＭデータをアップデートするステップ
をさらに含む、請求項６に記載の方法。
【請求項８】
前記第１のＭＭノードは、汎用パケット無線サービス（ＧＰＲＳ）ネットワークのサービングＧＰＲＳサポート・ノード（ＳＧＳＮ）を備え、前記ＳＧＳＮは、Ｇｓインターフェースの上で前記ビジター・ロケーション・データベースに接続するように構成され、
前記解放インジケータを送信するステップは、前記Ｇｓインターフェースのために定義されるメッセージの情報要素（ＩＥ）の中の前記解放インジケータを送信するステップを含む、
請求項６に記載の方法。
【請求項９】
前記第１のＭＭノードは、ロング・ターム・エボリューション（ＬＴＥ）ネットワークのモビリティ管理エンティティ（ＭＭＥ）を備え、前記ＭＭＥは、ＳＧｓインターフェースの上で前記ビジター・ロケーション・データベースに接続するように構成され、
前記解放インジケータを送信するステップは、
前記ＳＧｓインターフェースのために定義されるメッセージの情報要素（ＩＥ）の中の前記解放インジケータを送信するステップを含む、
請求項６に記載の方法。
【請求項１０】
前記ビジター・ロケーション・データベースは、前記ＣＳドメインのビジター・ロケーション・レジスタ（ＶＬＲ）を備える、
請求項６に記載の方法。
【発明の詳細な説明】
【技術分野】
【０００１】
本発明は、通信の分野に関し、詳細には、回路交換（ＣＳ：Ｃｉｒｃｕｉｔ  Ｓｗｉｔｃｈｅｄ）ドメインとパケット交換（ＰＳ：Ｐａｃｋｅｔ−Ｓｗｉｔｃｈｅｄ）ドメインとの間のデータを同期させることに関する。
【背景技術】
【０００２】
サービス・プロバイダは、通常、エンド・ユーザに対して非常に多数の音声サービスおよびデータ・サービスを提供する。音声サービスのいくつかの例は、音声コール、コール転送、コール・ウェイティングなどである。データ・サービスのいくつかの例は、インターネット・アクセス、ストリーミング・オーディオ、ストリーミング・ビデオ、オンライン・ゲーム、ＩＰ−ＴＶなどである。
【０００３】
サービス・プロバイダによって導入された第１のタイプのワイヤレス・ネットワークまたはモバイル・ネットワークは、第１世代（１Ｇ）ネットワークおよび第２世代（２Ｇ）ネットワークであった。１Ｇネットワークは、アナログ信号を経由して音声サービスを提供し、次いで、デジタル信号を経由して音声サービスを提供した２Ｇネットワークへと進歩した。次いで、モバイル通信は、音声サービスと、データ・サービスとの両方を提供した３Ｇ（２．５Ｇを含む）ネットワークへと進歩した。例えば、３Ｇネットワークは、ワイヤレス音声電話通信、ならびにインターネット・アクセス、ビデオ・コール、モバイルＴＶなどのデータ・サービスを提供することができる。サービス・プロバイダによって実施される３Ｇネットワークのうちのいくつかは、ユニバーサル・モバイル・テレコミュニケーション・システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）ネットワーク、ＥＶ−ＤＯネットワーク、汎用パケット無線サービス（ＧＰＲＳ：Ｇｅｎｅｒａｌ  Ｐａｃｋｅｔ  Ｒａｄｉｏ  Ｓｅｒｖｉｃｅ）ネットワークなどであった。サービス・プロバイダは、今や、そのネットワークを第４世代（４Ｇ）技術に向かって移行させ始めている。４Ｇネットワークは、基本的に、データ速度の観点からの３Ｇネットワークに対する機能強化である。例えば、３Ｇネットワークは、約３．５Ｍビット／秒のデータ速度を提供することができる。国際電気通信連合（ＩＴＵ：Ｉｎｔｅｒｎａｔｉｏｎａｌ  Ｔｅｌｅｃｏｍｍｕｎｉｃａｔｉｏｎ  Ｕｎｉｏｎ）によれば、４Ｇネットワークは、１００Ｍビット／秒のデータ速度を提供することができる。４Ｇネットワークの１つの例は、ロング・ターム・エボリューション（ＬＴＥ：Ｌｏｎｇ  Ｔｅｒｍ  Ｅｖｏｌｕｔｉｏｎ）ネットワークである。
【０００４】
現在では、４Ｇ通信は、大都市など、限られたエリアにおいて使用可能である。モバイル・デバイスが、４Ｇネットワークのカバレッジ・エリアにあるときは、モバイル・デバイスは、４Ｇネットワークにアタッチして、サービスを受信することができる。４Ｇネットワークが、使用可能でないときに、モバイル・デバイスは、多くの場合に、３Ｇ（または２Ｇ）ネットワークのカバレッジ・エリアの中にある可能性がある。したがって、モバイル・デバイスは、３Ｇネットワークに登録して、サービスを受信することができる。４Ｇネットワークと、３Ｇネットワークとの両方に登録することができるモバイル・デバイスは、デュアル・モード・デバイスまたはマルチ・モード・デバイスと称されることもある。
【０００５】
４Ｇネットワークの初期の実装形態は、データ・サービスを提供するが、モバイル・デバイスのための音声サービスを提供してはいない（ＶｏＩＰサービスが、ＩＰマルチメディア・サブシステム（ＩＭＳ：ＩＰ  Ｍｕｌｔｉｍｅｄｉａ  Ｓｕｂｓｙｓｔｅｍ）を通して使用可能でないことを仮定している）。それゆえに、モバイル・デバイスが、音声コールを発信し、または受信するためには、モバイル・デバイスは、音声サービスにアクセスするために、回路交換（ＣＳ）コア・ネットワーク（２Ｇまたは３Ｇ）にアタッチする必要もある。音声サービスを提供するＣＳコア・ネットワークは、ＣＳドメインと称されるが、データ・サービスを提供する３Ｇネットワークまたは４Ｇネットワークのデータ部分は、パケット交換（ＰＳ）ドメインと称される。モバイル・デバイスが、音声コールを開始させ、または終了させるために、４ＧネットワークからＣＳコア・ネットワークへと切り替わるときに、これは、「ＣＳフォールバック（ＣＳ  Ｆａｌｌｂａｃｋ）」と称される。
【０００６】
モバイル・デバイスにサービスするために、ＣＳドメインと、ＰＳドメインとは、アタッチ・プロシージャ、ページング・プロシージャ、ロケーション・アップデート・プロシージャなどのモビリティ管理プロシージャを実行する。アタッチ・プロシージャは、モバイル・デバイスが、サービスにアクセスすることができる前に、モバイル・デバイスが、ネットワークに登録することを実行するプロセスである。ページング・プロシージャは、ネットワークが、制御メッセージを使用してモバイル・デバイスに連絡を取るプロセスである。ロケーション・アップデートは、モバイル・デバイスのロケーションが、ネットワークに対して報告されるプロシージャである。
【０００７】
ＣＳドメインと、ＰＳドメインとの両方はモバイル・デバイスについてのモビリティ管理（ＭＭ：Ｍｏｂｉｌｉｔｙ  Ｍａｎａｇｅｍｅｎｔ）コンテキストを記憶し、このモビリティ管理コンテキストは、デバイスについてのモビリティ情報を示すものである。例えば、モバイル・デバイスについてのＭＭコンテキストは、国際モバイル加入者識別情報（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）、ＭＭ状態、一時的モバイル加入者識別情報（ＴＭＳＩ：Ｔｅｍｐｏｒａｒｙ  Ｍｏｂｉｌｅ  Ｓｕｂｓｃｒｉｂｅｒ  ＩｄｅｎｔｉｔｙまたはＰ−ＴＭＳＩ）、ロケーション・エリアまたはルーティング・エリア、移動局ＩＳＤＮ番号（ＭＳＩＳＤＮ：Ｍｏｂｉｌｅ  Ｓｔａｔｉｏｎ  ＩＳＤＮ  Ｎｕｍｂｅｒ）、暗号化アルゴリズムなどを含むことができる。ほとんどのネットワークにより、モバイル・デバイスは、ＣＳドメインと、ＰＳドメインとに同時に接続することができるようになり、これは、ときには、クラスＡオペレーション・モードまたはＰＳ／ＣＳオペレーション・モードと称される。モバイル・デバイスが、ＣＳドメインと、ＰＳドメインとに同時にアタッチすることが可能にされるときに、ＭＭデータは、ＣＳドメインと、ＰＳドメインとを通して非同期化されるようになる可能性がある。ＭＭデータが、同期化されない場合、モビリティ管理プロシージャは、正しく実行されないこともある。例えば、ＭＭデータが、ＣＳドメインと、ＰＳドメインとの間で同期化されない場合、モバイル・デバイスに対するページング・プロシージャは、正しく実行されないこともある。
【発明の概要】
【課題を解決するための手段】
【０００８】
本明細書において説明される実施形態は、ＣＳドメインにおいて実施されるビジター・ロケーション・データベースを通して、ＣＳドメインと、ＰＳドメインとの間のモビリティ管理（ＭＭ）データを同期させる。どのようにしてビジター・ロケーション・データベースが、ＭＭデータを同期させるかを考察する前に、以下は、どのようにしてＭＭデータが、非同期化されるようになる可能性があるかを簡単に要約している。ビジター・ロケーション・データベースは、モバイル・デバイスについてのＭＭデータを保持する、ＣＳドメインにおけるノードである。モバイル・デバイスが、ＰＳデータ・ネットワークにアタッチする場合、ビジター・ロケーション・データベースは、ＰＳドメインと相互作用して、モバイル・デバイスのロケーションを追跡する。モバイル・デバイスが、ＰＳデータ・ネットワークにアタッチする場合、ＰＳデータ・ネットワークの中のモビリティ管理（ＭＭ）ノードは、ロケーション・アップデートをビジター・ロケーション・データベースに対して送信して、ＣＳドメインとの信号接続を確立する。ＭＭノードは、モバイル・デバイスのロケーションを追跡する、ＰＳドメインにおける任意のネットワーク・ノードを備える。ビジター・ロケーション・データベースが、ＰＳドメインにおけるＭＭノードからロケーション・アップデートを受信するときに、それは、モビリティ管理の目的のために、ＭＭノードとの「関連付け」をアクティブにするためにモバイル・デバイスについてのＭＭデータをアップデートする。例えば、ビジター・ロケーション・データベースは、ＭＭノードについての識別子（ＩＤ）をモバイル・デバイスについてのロケーション・レジスタへと追加することができる。ＰＳドメインとは別のＭＭノードとの先行する関連付けが存在した場合、ビジター・ロケーション・データベースは、モバイル・デバイスのロケーション・レジスタからの他のＭＭノードとの先行する関連付けを非アクティブにする。たとえビジター・ロケーション・データベースが、他のＭＭノードとの先行する関連付けを非アクティブにしているとしても、そのＭＭノードは、ビジター・ロケーション・データベースにおける信号接続変化について知っておらず、ビジター・ロケーション・データベースとの関連付けを示す、モバイル・デバイスについてのＭＭデータを記憶し続ける。これが、起きる場合、モバイル・デバイスについてのＭＭデータは、もはや、ＣＳドメイン（すなわち、ビジター・ロケーション・データベース）と、ＰＳドメイン（すなわち、他のＭＭノード）との間で同期させられない。
【０００９】
本明細書において説明される実施形態においては、ビジター・ロケーション・データベースは、他のＭＭノードとの関連付けがモバイル・デバイスのロケーション・レジスタにおいて非アクティブにされていることを他のＭＭノードに通知する。それゆえに、他のＭＭノードは、ビジター・ロケーション・データベースとの関連付けが同様に非アクティブにされることを示すようにモバイル・デバイスについてのそのローカルＭＭデータをアップデートすることができる。このＭＭノードが、ビジター・ロケーション・データベースからの通知に応じてモバイル・デバイスについてのＭＭデータをアップデートするときに、モバイル・デバイスについてのＭＭデータは、ＣＳドメインと、ＰＳドメインとの間で有利に同期させられる。モバイル・デバイスについてのモビリティ管理プロシージャは、それゆえに、正しく実行されることになる。
【００１０】
一実施形態は、ＣＳドメインのビジター・ロケーション・データベースを備える。ビジター・ロケーション・データベースは、ＰＳドメインにおけるモバイル・デバイスに接続するための第１のパケット交換（ＰＳ）データ・ネットワークの第１のモビリティ管理（ＭＭ）ノードと通信するように構成されている。ビジター・ロケーション・データベースは、第１のＭＭノードとの関連付けを示す、モバイル・デバイスについてのＭＭデータを記憶するように構成されている。モバイル・デバイスが、第２のＰＳデータ・ネットワークに移動していることを示す表示の受信に応じて、ビジター・ロケーション・データベースは、第１のＭＭノードとの関連付けを解除するために、モバイル・デバイスについての記憶されるＭＭデータをアップデートし、第１のＭＭノードとの関連付けが解除されていることを示す解放インジケータを生成し、第１のＭＭノードによってモバイル・デバイスについて記憶される対応するＭＭデータからビジター・ロケーション・データベースとの関連付けを解放するように第１のＭＭノードに指示するために解放インジケータを第１のＭＭノードに対して送信するように構成されている。
【００１１】
別の実施形態においては、ビジター・ロケーション・データベースは、第２のＰＳデータ・ネットワークに移動していることを示す表示の受信に応じて、モバイル・デバイスが、第２のＰＳデータ・ネットワークの第２のＭＭノードとの、モバイル・デバイスの関連付けを追加するように、モバイル・デバイスについてのＭＭデータをアップデートするように構成されている。
【００１２】
別の実施形態においては、第１のＭＭノードは、汎用パケット無線サービス（ＧＰＲＳ）ネットワークのサービングＧＰＲＳサポート・ノード（ＳＧＳＮ：Ｓｅｒｖｉｎｇ  ＧＰＲＳ  Ｓｕｐｐｏｒｔ  Ｎｏｄｅ）を備え、ＳＧＳＮは、Ｇｓインターフェースの上でビジター・ロケーション・データベースに接続するように構成されている。ビジター・ロケーション・データベースは、Ｇｓインターフェースのために定義されるメッセージの情報要素（ＩＥ：Ｉｎｆｏｒｍａｔｉｏｎ  Ｅｌｅｍｅｎｔ）の中に解放インジケータを挿入するように構成されている。
【００１３】
別の実施形態においては、Ｇｓインターフェースのために定義されるメッセージは、Ｇｓ−解放−要求（Ｇｓ−ＲＥＬＥＡＳＥ−ＲＥＱＵＥＳＴ）を含んでいる。
【００１４】
別の実施形態においては、第１のＭＭノードは、ロング・ターム・エボリューション（ＬＴＥ）ネットワークのモビリティ管理エンティティ（ＭＭＥ：Ｍｏｂｉｌｉｔｙ  Ｍａｎａｇｅｍｅｎｔ  Ｅｎｔｉｔｙ）を備え、ＭＭＥは、ＳＧｓインターフェースの上でビジター・ロケーション・データベースに接続するように構成されている。ビジター・ロケーション・データベースは、ＳＧｓインターフェースのために定義されるメッセージの情報要素（ＩＥ）の中に解放インジケータを挿入するように構成されている。
【００１５】
別の実施形態においては、ＳＧｓインターフェースのために定義されるメッセージは、ＳＧｓ−解放−要求（ＳＧｓ−ＲＥＬＥＡＳＥ−ＲＥＱＵＥＳＴ）を含んでいる。
【００１６】
別の実施形態においては、ビジター・ロケーション・データベースは、ＣＳドメインのビジター・ロケーション・レジスタ（ＶＬＲ：Ｖｉｓｉｔｏｒ  Ｌｏｃａｔｉｏｎ  Ｒｅｇｉｓｔｅｒ）を備えている。
【００１７】
別の実施形態は、ＣＳドメインのビジター・ロケーション・データベースにおいて動作可能な方法を含んでいる。ビジター・ロケーション・データベースは、ＰＳドメインにおいてモバイル・デバイスを接続するための第１のＰ）データ・ネットワークの第１のＭＭノードと通信し、ＰＳドメインにおいてモバイル・デバイスを接続するための第２のＰＳデータ・ネットワークの第２のＭＭノードと通信するように構成されている。本方法は、第１のＭＭノードとの関連付けを示すビジター・ロケーション・データベースにモバイル・デバイスについてのＭＭデータを記憶するステップを含んでいる。モバイル・デバイスが、第１のＰＳデータ・ネットワークから第２のＰＳデータ・ネットワークへと移動していることを示す表示の受信に応じて、本方法は、第１のＭＭノードとの関連付けを解除するようにモバイル・デバイスについてのＭＭデータをアップデートするステップと、第１のＭＭノードとの関連付けが解除されていることを示す解放インジケータを生成するステップと、第１のＭＭノードによってモバイル・デバイスについて記憶される対応するＭＭデータからビジター・ロケーション・データベースとの関連付けを解放するように第１のＭＭノードに指示するために解放インジケータを第１のＭＭノードに対して送信するステップとを含む。
【００１８】
別の実施形態においては、本方法は、モバイル・デバイスが、第２のＰＳデータ・ネットワークへと移動していることを示す表示の受信に応じて、第２のＰＳデータ・ネットワークの第２のＭＭノードとの関連付けを追加するようにモバイル・デバイスについてのＭＭデータをアップデートするステップを含んでいる。
【００１９】
別の実施形態においては、第１のＭＭノードは、汎用パケット無線サービス（ＧＰＲＳ）ネットワークのサービングＧＰＲＳサポート・ノード（ＳＧＳＮ）を備え、ＳＧＳＮは、Ｇｓインターフェースの上でビジター・ロケーション・データベースに接続するように構成されている。解放インジケータを送信する方法ステップは、Ｇｓインターフェースのために定義されるメッセージの情報要素（ＩＥ）の中の解放インジケータを送信するステップを含んでいる。
【００２０】
別の実施形態においては、Ｇｓインターフェースのために定義されるメッセージは、Ｇｓ−解放−要求を含んでいる。
【００２１】
別の実施形態においては、第１のＭＭノードは、ロング・ターム・エボリューション（ＬＴＥ）ネットワークのモビリティ管理エンティティ（ＭＭＥ）を備え、ＭＭＥは、ＳＧｓインターフェースの上でビジター・ロケーション・データベースに接続するように構成されている。解放インジケータを送信する方法ステップは、ＳＧｓインターフェースのために定義されるメッセージの情報要素（ＩＥ）の中の解放インジケータを送信するステップを含んでいる。
【００２２】
別の実施形態においては、ＳＧｓインターフェースのために定義されるメッセージは、ＳＧｓ−解放−要求を含んでいる。
【００２３】
別の実施形態においては、ビジター・ロケーション・データベースは、ＣＳドメインのビジター・ロケーション・レジスタ（ＶＬＲ）を備えている。
【００２４】
別の実施形態は、音声通信をモバイル・デバイスに対して提供することができるＣＳドメインのビジター・ロケーション・レジスタ（ＶＬＲ）を備えている。ＶＬＲは、Ｇｓインターフェースの上で汎用パケット無線サービス（ＧＰＲＳ）ネットワークのサービングＧＰＲＳサポート・ノード（ＳＧＳＮ）と通信し、ＳＧｓインターフェースの上でロング・ターム・エボリューション（ＬＴＥ）ネットワークのモビリティ管理エンティティ（ＭＭＥ）と通信するように構成されている。モバイル・デバイスが、ＬＴＥネットワークに最初にアタッチした後に、ＧＰＲＳネットワークにアタッチしていることを示す表示に応じて、ＶＬＲは、ＳＧＳＮとのＧｓ関連付けをアクティブにするようにモバイル・デバイスについての記憶されるＭＭデータをアップデートし、ＭＭＥとのＳＧｓ関連付けを非アクティブにするようにモバイル・デバイスについての記憶されるＭＭデータをアップデートし、ＶＬＲの中のＭＭＥとのＳＧｓ関連付けの非アクティブ化を示す解放インジケータを生成し、ＳＧｓインターフェースの上で解放インジケータをＭＭＥに対して送信するように構成されている。
【００２５】
別の実施形態においては、ＶＬＲは、さらに、ＳＧｓインターフェースのために定義されるメッセージの情報要素（ＩＥ）の中に解放インジケータを挿入するように構成されている。
【００２６】
別の実施形態においては、ＳＧｓインターフェースのために定義されるメッセージは、ＳＧｓ−解放−要求を含んでいる。
【００２７】
別の実施形態においては、モバイル・デバイスが、最初にＧＰＲＳネットワークにアタッチした後にＬＴＥネットワークにアタッチしていることを示す表示に応じて、ＶＬＲは、ＭＭＥとのＳＧｓ関連付けをアクティブにするようにモバイル・デバイスについての記憶されるＭＭデータをアップデートし、ＳＧＳＮとのＧｓ関連付けを非アクティブにするように、モバイル・デバイスについての記憶されるＭＭデータをアップデートし、ＶＬＲの中のＳＧＳＮとのＧｓ関連付けの非アクティブ化を示す解放インジケータを生成し、Ｇｓインターフェースの上で解放インジケータをＳＧＳＮに対して送信するように構成されている。
【００２８】
別の実施形態においては、ＶＬＲは、Ｇｓインターフェースのために定義されるメッセージの情報要素（ＩＥ）の中に解放インジケータを挿入するように構成されている。
【００２９】
別の実施形態においては、Ｇｓインターフェースのために定義されるメッセージは、Ｇｓ−解放−要求を含んでいる。
【００３０】
他の例示の実施形態が、以下で説明されることもある。
【００３１】
本発明のいくつかの実施形態が、次に、例としてだけ、また添付図面を参照して説明される。同じ参照番号は、すべての図面の上で、同じ要素、または同じタイプの要素を表している。
【図面の簡単な説明】
【００３２】
【図１】例示の実施形態におけるネットワーク・アーキテクチャを示す図である。
【図２】例示の実施形態における、ＣＳドメインと、ＰＳドメインとの間で非同期化されるようになるモビリティ管理（ＭＭ）データを示すメッセージ図である。
【図３】例示の実施形態における、ＭＭデータを同期させる方法を示すフロー・チャートである。
【図４】例示の実施形態における同期させられるようになるＭＭデータを示すメッセージ図である。
【図５】例示の実施形態における別のネットワーク・アーキテクチャを示す図である。
【図６】例示の実施形態においてＭＭデータを同期させるＶＬＲを示すメッセージ図である。
【図７】例示の実施形態においてＭＭデータを同期させるＶＬＲを示すメッセージ図である。
【発明を実施するための形態】
【００３３】
図面および以下の説明は、本発明の特定の例示の実施形態を示すものである。したがって、当業者なら、本明細書において明示的に説明されても、または示されてもいないが、本発明の原理を実施し、本発明の範囲内に含まれる様々な構成を工夫することができるようになることが理解されるであろう。さらに、本明細書において説明される任意の例は、本発明の原理を理解する際に助けとなることを意図しており、そのように具体的に列挙された例および状態だけに限定することがないように解釈されるべきである。結果として、本発明は、以下で説明される特定の実施形態または例だけには限定されないが、特許請求の範囲とそれらの均等物とによって制限される。
【００３４】
図１は、例示の一実施形態におけるネットワーク・アーキテクチャ１００を示すものである。ネットワーク・アーキテクチャ１００は、モバイル・デバイス１５０（ユーザ機器（ＵＥ：Ｕｓｅｒ  Ｅｑｕｉｐｍｅｎｔ）とも称される）に対してサービスを提供することができる複数のネットワークを含んでいる。示されている第１のネットワークは、伝統的な音声サービスを無線アクセス・ネットワーク（ＲＡＮ：Ｒａｄｉｏ  Ａｃｃｅｓｓ  Ｎｅｔｗｏｒｋ）１１６を通してモバイル・デバイス１５０に対して提供するように構成されている回路交換（ＣＳ）音声ネットワーク１１０である。ＣＳ音声ネットワーク１１０はまた、本明細書においてＣＳドメインと称されることもある。ＣＳ音声ネットワーク１１０のいくつかの例は、ＧＳＭネットワーク、ＣＤＭＡ２０００ネットワークなどとすることができる。この実施形態においては、ＣＳ音声ネットワーク１１０は、交換ノード１１２（モバイル交換センタ（ＭＳＣ：Ｍｏｂｉｌｅ  Ｓｗｉｔｃｈｉｎｇ  Ｃｅｎｔｅｒ）など）と、ビジター・ロケーション・データベース１１４とを含む。ビジター・ロケーション・データベース１１４は、交換ノード１１２によってサービスされるエリアに位置する加入者に関する、ロケーション・レジスタなどの情報を記憶する任意のネットワーク・ノードを備えている。ビジター・ロケーション・データベース１１４の１つの例は、ビジター・ロケーション・レジスタ（ＶＬＲ）である。交換ノード１１２と、ビジター・ロケーション・データベース１１４とは、別個の要素として示されるが、ビジター・ロケーション・データベース１１４は、交換ノード１１２の内部で一体化されていてもよい。ＣＳ音声ネットワーク１１０は、ホーム・ロケーション・レジスタ（ＨＬＲ：Ｈｏｍｅ  Ｌｏｃａｔｉｏｎ  Ｒｅｇｉｓｔｅｒ）など、図１に示されてはいない他のネットワーク・ノードを含むこともできる。
【００３５】
図１に示される第２のネットワークは、パケット交換（ＰＳ）データ・ネットワーク１２０であり、このＰＳデータ・ネットワークは、ＲＡＮ１２６を通してモバイル・デバイス１５０に対してデータ・サービスを提供するように構成されている。ＰＳデータ・ネットワーク１２０は、本明細書においては、ＰＳドメインと称されることもある。ＰＳデータ・ネットワーク１２０のいくつかの例は、ＧＰＲＳネットワーク、ＵＭＴＳネットワークなどとすることができる。ＰＳデータ・ネットワーク１２０は、モビリティ管理（ＭＭ）ノード１２２を含んでおり、このＭＭノードは、モバイル・デバイス１５０のロケーションを追跡する、ＰＳドメインにおける任意のネットワーク・ノードを備え、その結果、サービスは、モバイル・デバイス１５０に対して提供されることもある。ＭＭノード１２２の１つの例は、ＧＰＲＳネットワークのサービングＧＰＲＳサポート・ノード（ＳＧＳＮ）である。ＰＳデータ・ネットワーク１２０は、図１に示されていない他のネットワーク・ノードを含むこともできる。
【００３６】
図１に示される第３のネットワークは、やはりＰＳドメインの一部分である別のＰＳデータ・ネットワーク１３０であり、ＲＡＮ１３６を通してモバイル・デバイス１５０に対してデータ・サービスを提供するように構成されている。本明細書における仮定は、ＰＳデータ・ネットワーク１２０と、ＰＳデータ・ネットワーク１３０とは、モバイル・デバイス１５０にとって使用可能である異なる技術ネットワークであることである。例えば、ＰＳデータ・ネットワーク１２０は、ＧＰＲＳネットワークなど、サービス・プロバイダが、その加入者に対してデータ・サービス提供するように実施されている２．５Ｇデータ・ネットワークまたは３Ｇデータ・ネットワークを表すことができる。サービス・プロバイダが、そのネットワーク・アーキテクチャを４Ｇ技術を含むように移行させるので、そのときにはＰＳデータ・ネットワーク１３０は、３Ｇデータ・ネットワークの上にオーバーレイされるネットワーク・アーキテクチャの４Ｇ部分を表すことができる。例えば、ＰＳデータ・ネットワーク１３０は、ロング・ターム・エボリューション（ＬＴＥ）ネットワークとすることができる。この実施形態においては、ＰＳデータ・ネットワーク１３０はまた、モビリティ管理（ＭＭ）ノード１３２を含んでいる。ＭＭノード１３２の１つの例は、ＬＴＥネットワークのモビリティ管理エンティティ（ＭＭＥ）である。ＰＳデータ・ネットワーク１３０は、図１に示されていない他のネットワーク・ノードを含むこともできる。
【００３７】
ＰＳデータ・ネットワーク１２０および１３０は、モバイル・デバイス１５０に対してデータ・サービスを提供することができるが、本明細書における仮定は、それらが、モバイル・デバイス１５０に対して音声サービスを提供しないことである。モバイル・デバイス１５０についての音声サービスは、ＣＳ音声ネットワーク１１０によって処理される。音声コールが、モバイル・デバイス１５０について受信されるときはいつでも、ＰＳデータ・ネットワーク１２０および１３０は、ＣＳ音声ネットワーク１１０に対して「フォールバック」して、コールを完了する。ＣＳ音声ネットワーク１１０に対するフォールバックを可能にするために、ＣＳドメインは、どこにモバイル・デバイス１５０が、ネットワークにおいて位置しているかを知る必要がある。それゆえに、ＰＳデータ・ネットワーク１２０および１３０は、ＣＳドメインとモビリティ管理（ＭＭ）データを交換し、その結果、モバイル・デバイス１５０のロケーションは、知られている。ＭＭデータを交換するために、ＭＭノード１２２は、インターフェース１２８の上でビジター・ロケーション・データベース１１４と通信するが、ＭＭノード１３２は、インターフェース１３８の上でビジター・ロケーション・データベース１１４と通信する。ＭＭノード１２２が、ＧＰＲＳネットワークのＳＧＳＮを表す場合、インターフェース１２８は、Ｇｓインターフェースを備えることができる。ＭＭノード１３２が、ＬＴＥネットワークのＭＭＥを表す場合、インターフェース１３８は、ＳＧｓインターフェースを備えることができる。
【００３８】
ビジター・ロケーション・データベース１１４は、モバイル・デバイス１５０についてのロケーション・レジスタなどに、モバイル・デバイス１５０についてのＭＭデータを記憶する。ＭＭデータは、ＭＭコンテキストと称される可能性もある。モバイル・デバイスのＭＭコンテキストについて記憶される１つの特定の情報は、モバイル・デバイス１５０に接続されている、ＰＳドメインにおけるＭＭノードについての識別子（ＩＤ）、または何らかの他の情報である。例えば、モバイル・デバイス１５０が、ＰＳデータ・ネットワーク１２０にアタッチする場合、ＭＭノード１２２は、モビリティ管理のためにモバイル・デバイス１５０に「接続される」であろう。したがって、ビジター・ロケーション・データベース１１４は、ＭＭノード１２２についてのＩＤを記憶することになり、その結果、それは、どのノードが、モビリティ管理のために連絡を取るべきかを知っている。ビジター・ロケーション・データベース１１４が、このようにしてＭＭノードについてのＩＤを記憶するときに、それは、「関連付け」と称される。関連付けは、モビリティ管理のためのＣＳドメインのエンティティと、ＰＳドメインのエンティティとの間の関係またはパス（ｐａｔｈ）と考えられる。例えば、ＭＭノード１２２が、ＧＰＲＳネットワークのＳＧＳＮを備える場合、ビジター・ロケーション・データベース１１４は、「ＳＧＳＮ関連付け」または「Ｇｓ関連付け」を記憶することになり、この関連付けは、Ｇｓインターフェースの上でモバイル・デバイス１５０についてのモビリティ管理を提供しているＳＧＳＮを示している。
【００３９】
ビジター・ロケーション・データベース１１４が、モバイル・デバイス１５０についてのＭＭコンテキストを記憶するのと同時に、ＭＭノード１２２および１３２は、ロケーション・レジスタにモバイル・デバイス１５０についてのＭＭコンテキストを記憶することもできる。ＭＭノードにおけるＭＭコンテキストについて記憶される１つの特定の情報は、ＣＳドメインにおけるビジター・ロケーション・データベースについてのＩＤまたは何らかの他の情報である。それゆえに、ＭＭノード１２２は、例えば、ビジター・ロケーション・データベース１１４についてのＩＤを記憶することになり、その結果、それは、ＣＳドメインにおけるどのノードにモビリティ管理のために連絡を取るべきかを知っている。ＭＭノード１２２が、このようにしてビジター・ロケーション・データベース１１４についてのＩＤを記憶するとき、それはまた、「関連付け」とも称される。例えば、ビジター・ロケーション・データベース１１４が、ＶＬＲを備える場合、ＭＭノード１２２は、ＣＳドメインにおいてモバイル・デバイス１５０についてのモビリティ管理を提供しているＶＬＲを示すＶＬＲ関連付けを記憶することになる。
【００４０】
ＭＭデータが、ＣＳドメインと、ＰＳドメインとの両方に記憶されて、ＭＭデータが、それらのドメインの間で同期させられることを確実にすることが重要である。しかしながら、図２に説明されるように、ＭＭデータが、それらのドメインの間で非同期化されるようになり得る場合のシナリオが存在している。
【００４１】
図２は、例示の一実施形態において非同期化されるようになるＭＭデータを示しているメッセージ図である。例えば、モバイル・デバイス１５０は、組み合わされたＰＳ／ＣＳアタッチ要求（またはアップデート要求）をＭＭノード１２２に対して送信する。組み合わされたＰＳ／ＣＳアタッチ要求に応じて、ＭＭノード１２２は、モバイル・デバイス１５０が位置しているロケーション・エリアまたはルーティング・エリアを有するビジター・ロケーション・データベース１１４に対してロケーション・アップデート要求を送信する。ロケーション・アップデートに応じて、ビジター・ロケーション・データベース１１４は、モバイル・デバイス１５０についてのロケーション・レジスタにＭＭノード１２２についてのＩＤを記憶することなどにより、モバイル・デバイス１５０についてのＭＭコンテキストにおいてＭＭノード１２２についての関連付けを追加し、またはアクティブにする。ＭＭノード１２２は、それゆえに、モバイル・デバイス１５０についてのビジター・ロケーション・データベース１１４に「関連付けられる」（ＭＭノード１３２は、「ヌルに関連付けられる」）。次いで、ビジター・ロケーション・データベース１１４は、ロケーション・アップデート応答を用いてＭＭノード１２２に返答する。ＭＭノード１２２は、モバイル・デバイス１５０についてのロケーション・レジスタにビジター・ロケーション・データベース１１４についてのＩＤを記憶することなどにより、モバイル・デバイス１５０についてのＭＭコンテキストにおいてビジター・ロケーション・データベース１１４についての関連付けを追加し、またはアクティブにする。ビジター・ロケーション・データベース１１４は、それゆえに、モバイル・デバイス１５０についてのＭＭノード１２２に関連付けられる。
【００４２】
さらに、モバイル・デバイス１５０が、ＰＳデータ・ネットワーク１２０のサービス・エリアからＰＳデータ・ネットワーク１３０のサービス・エリアへと移動することを仮定する。これが起こるときに、モバイル・デバイス１５０は、組み合わされたＰＳ／ＣＳアタッチ要求をＰＳデータ・ネットワーク１３０のＭＭノード１３２に対して送信することになる。モバイル・デバイス１５０は、両方のＰＳデータ・ネットワークに同時にアタッチされる可能性はなく、そのようにしてモバイル・デバイス１５０はまた、ＰＳデータ・ネットワーク１２０から切り離されることになる（これは、図２に示されてはいない）。ＭＭノード１３２が、組み合わされたＰＳ／ＣＳアタッチ要求を受信するときに、それは、モバイル・デバイス１５０が位置しているロケーション・エリアまたはルーティング・エリアを有するビジター・ロケーション・データベース１１４に対してロケーション・アップデート要求を送信する。ロケーション・アップデートに応じて、ビジター・ロケーション・データベース１１４は、モバイル・デバイス１５０についてのＭＭコンテキストにおいてＭＭノード１３２についての関連付けを追加し、またはアクティブにする。ＣＳドメインにおいては、１つの関連付けのアクティブ化は、別の関連付けの非アクティブ化をトリガすることになる。したがって、ビジター・ロケーション・データベース１１４は、モバイル・デバイス１５０のロケーション・レジスタからＭＭノード１２２との先行する関連付けを解除することになる。ＭＭノード１３２は、今や、モバイル・デバイス１５０について「関連付けられる」ように、ビジター・ロケーション・データベース１１４において示される（ＭＭノード１２２は、「ヌルに関連付けられる」）。次いで、ビジター・ロケーション・データベース１１４は、ロケーション・アップデート応答を用いてＭＭノード１３２に対して返答する。ＭＭノード１３２は、ビジター・ロケーション・データベース１１４についてのＩＤを記憶することなどにより、モバイル・デバイス１５０についてのＭＭコンテキストにおいて、ビジター・ロケーション・データベース１１４についての関連付けを追加する。ビジター・ロケーション・データベース１１４は、それゆえに、モバイル・デバイス１５０についてのＭＭノード１３２に関連付けられる。
【００４３】
モバイル・デバイス１５０が、ＰＳデータ・ネットワーク１３０にアタッチした後に、ＣＳドメインにおけるＭＭデータは、もはやＰＳドメインと同期させられない。ビジター・ロケーション・データベース１１４は、ＭＭノード１３２との関連付けを示し、ＭＭノード１３２は、ビジター・ロケーション・データベース１１４との関連付けを示す。しかしながら、ＭＭノード１２２はまた、ビジター・ロケーション・データベース１１４との関連付けを示すが、ビジター・ロケーション・データベース１１４は、もはやＭＭノード１２２との関連付けを有してはいない。モバイル・デバイス１５０が、ＰＳデータ・ネットワーク１２０から移動し、ＰＳデータ・ネットワーク１３０にアタッチした後に、ＭＭノード１２２と、ビジター・ロケーション・データベース１１４との間の関連付けは、もはや存在していない。それゆえに、ＭＭノード１２２は、モバイル・デバイス１５０についての正しくないＭＭデータを記憶しており、モバイル・デバイス１５０についてのＭＭデータは、もはやＣＳドメインと、ＰＳドメインとの間で同期させられない。
【００４４】
本明細書において説明される実施形態においては、ＣＳ音声ネットワーク１１０のビジター・ロケーション・データベース１１４は、ＣＳドメインと、ＰＳドメインとの間でＭＭデータを同期させるように機能強化される。ＭＭデータを同期させるためのビジター・ロケーション・データベース１１４の例示のオペレーションが、図３の中で説明される。
【００４５】
図３は、例示の一実施形態においてＭＭデータを同期させる方法３００を示すフロー・チャートである。方法３００のステップは、図１においてビジター・ロケーション・データベース１１４を参照して説明されることになるが、当業者なら、方法３００は、他のノードにおいて実行され得ることを理解するであろう。本明細書において説明されるフロー・チャートのステップは、必ずしも包含的であるとは限らず、示されていない他のステップを含むことができる。それらのステップはまた、代替的な順序で実行されることもある。
【００４６】
図２に示されるように、モバイル・デバイス１５０が、ＰＳデータ・ネットワーク１２０にアタッチされており、ＰＳデータ・ネットワーク１３０に移動することをこの場合にも仮定する。ＭＭノード１３２は、モバイル・デバイス１５０から組み合わされたＰＳ／ＣＳアタッチ要求を受信し、ロケーション・アップデート要求をビジター・ロケーション・データベース１１４に対して送信する。ビジター・ロケーション・データベース１１４は、モバイル・デバイス１５０が、ＭＭノード１３２に接続されている（またはアタッチしている）ことを示すロケーション・アップデート要求をＭＭノード１３２から受信する。ロケーション・アップデート要求に応じて、ビジター・ロケーション・データベース１１４は、モバイル・デバイス１５０についてのロケーション・レジスタにおけるＭＭデータをアップデートする。そのように行うために、ビジター・ロケーション・データベース１１４は、現在、モバイル・デバイス１５０に接続されているＭＭノード１３２との関連付けを追加し、またはアクティブにする（図３におけるステップ３０２を参照）。例えば、ビジター・ロケーション・データベース１１４は、モバイル・デバイス１５０についてのロケーション・レジスタにＭＭノード１３２についてのＩＤを追加し、または記憶して、モバイル・デバイス１５０が、ＰＳドメインのＭＭノード１３２に接続されていることを示すことができる。ビジター・ロケーション・データベース１１４はまた、ステップ３０４において、先行する関連付けが別のＭＭノードとともに存在するかどうかを決定する。例えば、ビジター・ロケーション・データベース１１４は、モバイル・デバイス１５０についてのロケーション・レジスタを検索して、別のＭＭノードについてのＩＤが、記憶されているかどうかを調べることができる。そうである場合に、ステップ３０６において、ビジター・ロケーション・データベース１１４は、モバイル・デバイス１５０についてのＭＭデータをアップデートして、他のＭＭノードとの先行する関連付けを解除し、または非アクティブにする。例えば、ビジター・ロケーション・データベース１１４は、モバイル・デバイス１５０についてのロケーション・レジスタの中のＭＭノード１２２についてのＩＤを解除し、または削除して、モバイル・デバイス１５０が、もはやモバイル・デバイス１５０に接続されていないことを示すことができる。それゆえに、ビジター・ロケーション・データベース１１４に記憶されるＭＭデータは、ＭＭノード１３２との関連付けを示し、ＭＭノード１２２との関連付けを示さないことになる。
【００４７】
ビジター・ロケーション・データベース１１４が、モバイル・デバイス１５０のロケーション・レジスタから別のＭＭノードとの先行する関連付けを解除する場合、ビジター・ロケーション・データベース１１４は、方法３００に従って他のＭＭノードに通知することになる。そのように行うために、ビジター・ロケーション・データベース１１４は、他のＭＭノードとの先行する関連付けがモバイル・デバイス１５０についてのロケーション・レジスタから解除されていることを示す解放インジケータを生成する（ステップ３０８を参照）。解放インジケータは、関連付けがビジター・ロケーション・データベース１１４から解除されているときに、ＭＭノードに通知し、または知らせる任意のデータ、フィールド、またはパラメータを含む。解放インジケータは、追加して、または代わりに、ＭＭノードが、それがモバイル・デバイス１５０についてローカルに記憶するＭＭデータから対応する関連付けを解除するためのコマンド、または命令を含むことができる。インジケータは、ＭＭノードが、ビジター・ロケーション・データベース１１４のロケーション・レジスタにおいて行われる変更に起因して、ビジター・ロケーション・データベース１１４とのその関連付けを解放するように要求されるので、「解放」インジケータと称される。
【００４８】
次いで、ステップ３１０において、ビジター・ロケーション・データベース１１４は、解放インジケータをＭＭノードに対して送信し、このＭＭノードは、ＭＭノード１２２である。ビジター・ロケーション・データベース１１４は、ＭＭノード１２２によって使用されるインターフェースのために定義される既存のメッセージの中へと解放インジケータを挿入することができる。例えば、ビジター・ロケーション・データベース１１４と、ＭＭノード１２２との間のインターフェースが、Ｇｓインターフェースである場合、ビジター・ロケーション・データベース１１４は、解放インジケータをＧｓ−解放−要求の中へと挿入することができる。新しい情報要素（ＩＥ）は、解放インジケータについてのＧｓインターフェースにおいて規定されることもある。ビジター・ロケーション・データベース１１４と、ＭＭノード１２２との間のインターフェースが、ＳＧｓインターフェースである場合、ビジター・ロケーション・データベース１１４は、解放インジケータをＳＧｓ−解放−要求の中へと挿入することができる。新しいＩＥは、解放インジケータについてのＳＧｓインターフェースにおいて規定されることもある。ビジター・ロケーション・データベース１１４は、解放インジケータについての新しいメッセージを規定することもできる。
【００４９】
解放インジケータを受信することに応じて、ＭＭノード１２２は、モバイル・デバイス１５０について記憶されるＭＭデータからビジター・ロケーション・データベース１１４との関連付けを解放する。例えば、ビジター・ロケーション・データベース１１４は、モバイル・デバイス１５０について記憶されるＭＭデータからビジター・ロケーション・データベース１１４についてのＩＤを解除することができる。ＭＭノード１２２が、ビジター・ロケーション・データベース１１４との関連付けを解除した後に、モバイル・デバイス１５０についてのＭＭデータは、ＣＳドメインと、ＰＳドメインとの間で同期させられる。
【００５０】
図４は、例示の一実施形態において同期化されるようになるＭＭデータを示すメッセージ図である。図４は、ビジター・ロケーション・データベース１１４が、モバイル・デバイス１５０のロケーション・レジスタからＭＭノード１２２との先行する関連付けを解除するときに、ビジター・ロケーション・データベース１１４は、解放インジケータをＭＭノード１２２に対して送信する点を除いて、図２に類似している。解放インジケータを受信することに応じて、ＭＭノード１２２は、モバイル・デバイス１５０について記憶されるＭＭデータからビジター・ロケーション・データベース１１４との関連付けを解放する。それゆえに、モバイル・デバイス１５０についてのＭＭデータは、今や、ＣＳドメインと、ＰＳドメインとの間で同期させられる。
【００５１】
方法３００を要約すると、ビジター・ロケーション・データベース１１４が、モバイル・デバイス１５０についてのＭＭコンテキストをアップデートして、ＭＭノードとの関連付けを解除するときに、ビジター・ロケーション・データベース１１４は、解放インジケータを使用して関連付けのないことについてこのＭＭノードに通知する。次いで、ＭＭノードは、ビジター・ロケーション・データベース１１４とのその関連付けを解除することができ、その結果、モバイル・デバイス１５０についてのＭＭデータは、ＣＳドメインと、ＰＳドメインとの間で同期させられる。以前には、たとえモバイル・デバイス１５０が、別のネットワークにアタッチしていたとしても、ＭＭノードは、ビジター・ロケーション・データベース１１４とのその関連付けを維持することになる。これは、ページングなどのモビリティ管理プロシージャにとって問題がある可能性がある。本明細書において説明されるようなビジター・ロケーション・データベース１１４に対する機能強化は、ＣＳドメインと、ＰＳドメインとの間でＭＭデータを同期させて、そのような問題を回避する。
【００５２】
例
図５は、別の例示の実施形態におけるネットワーク・アーキテクチャ５００を示すものである。ネットワーク・アーキテクチャ５００は、ＣＳドメインを表すＣＳ音声ネットワーク５１０を含んでいる。音声ネットワーク５１０は、ＧＳＭ、ＣＤＭＡ２０００、またはモバイル交換センタ（ＭＳＣ）５１２とビジター・ロケーション・レジスタ（ＶＬＲ）５１４とを含む別のタイプの音声ネットワークを備えることができる。当業者なら、ＭＳＣ５１２と、ＶＬＲ５１４とは、一緒に統合されることもあることを理解する。ＣＳ音声ネットワーク５１０は、無線アクセス・ネットワーク（ＲＡＮ）５１６の上でユーザ機器（ＵＥ）５５０に対して音声サービスを提供することができる。
【００５３】
ネットワーク・アーキテクチャ５００はまた、３Ｇ（または２．５Ｇ）データ・ネットワーク５２０も含んでいる。この例における３Ｇデータ・ネットワーク５２０は、ＵＥ５５０に対してデータ・サービスを提供することができるＧＰＲＳネットワークである。ＧＰＲＳネットワークは、ＲＡＮ５２６の上でＵＥ５５０とパケットを交換する役割を担うＳＧＳＮ５２２を含んでいる。ＳＧＳＮ５２２の別の役割は、ＵＥ５５０についてのモビリティ管理である。ＳＧＳＮ５２２は、ロケーション情報、ＵＥ５５０についての現在のＶＬＲ、ユーザ・プロファイルなど、ＵＥ５５０についての情報を記憶するロケーション・レジスタ（図示されず）を含んでいる。モビリティ管理を実行するために、ＳＧＳＮ５２２は、Ｇｓインターフェースの上でＶＬＲ５１４と通信する。
【００５４】
ネットワーク・アーキテクチャ５００はまた、４Ｇデータ・ネットワーク５３０を含んでいる。この例における４Ｇデータ・ネットワーク５３０は、ＵＥ５５０に対してデータ・サービスを提供することができるＬＴＥネットワークである。ＬＴＥネットワークは、ＵＥ５５０についてのモビリティ管理の役割を担うＭＭＥ５３２を含んでいる。ＭＭＥ５３２はまた、ロケーション情報、ＵＥ５５０についての現在のＶＬＲなど、ＵＥ５５０についての情報を記憶するロケーション・レジスタ（図示されず）を含んでいる。モビリティ管理を実行するために、ＭＭＥ５３２は、ＳＧｓインターフェースの上でＶＬＲ５１４と通信する。
【００５５】
３Ｇデータ・ネットワーク５２０と、４Ｇデータ・ネットワーク５３０との両方は、追加のネットワーク・ノードを含むことができるが、関連のあるノードは、図５において示されている。
【００５６】
この例においては、ＶＬＲ５１４は、機能強化され、その結果、それは、ＣＳドメインと、ＰＳドメインとの間でＵＥ５５０についてのＭＭデータを同期させる。この例におけるＰＳドメインは、ＧＰＲＳネットワーク（すなわち、３Ｇデータ・ネットワーク５２０）と、ＬＴＥネットワーク（すなわち、４Ｇデータ・ネットワーク５３０）とによって表される。
【００５７】
図６は、例示の一実施形態においてＭＭデータを同期させるＶＬＲ５１４を示すメッセージ図である。この例においては、ＵＥ５５０は、最初にＳＧＳＮ５２２を通してＧＰＲＳネットワークにアタッチされる。それゆえに、ＳＧＳＮ５２２においてローカルに記憶されるようなＵＥ５５０についてのロケーション・レジスタは、ＶＬＲ５１４との関連付けを示す。ＳＧＳＮ５２２が、Ｇｓインターフェースの上でＶＬＲ５１４との関連付けを有するときに、ＳＧＳＮ５２２は、ＵＥ５５０についてのロケーション・レジスタに「Ｇｓ関連付け（Ｇｓ  ａｓｓｏｃｉａｔｅｄ）」のステータスを記憶する。また、ＶＬＲ５１４は、ＵＥ５５０についてのＳＧＳＮ５２２との関連付けを有する。それゆえに、ＶＬＲ５１４は、ＵＥ５５０についてのロケーション・レジスタに「Ｇｓ関連付け」のステータスを記憶する。
【００５８】
ＧＰＲＳネットワークにアタッチした後に、ＵＥ５５０は、ＬＴＥネットワークによってサービスされるサービス・エリアへと移動する。これが、起こるときに、ＵＥ５５０は、ＭＭＥ５３２に対して組み合わされたＥＰＳ／ＩＭＳＩアタッチ要求を送信して、ＬＴＥネットワークにアタッチする。次いで、ＭＭＥ５３２は、ＳＧｓインターフェースの上でロケーション−アップデート−要求をＶＬＲ５１４に対して送信する。ＶＬＲ５１４が、ロケーション−アップデート−要求を受信するときに、ＶＬＲ５１４は、ＵＥ５５０についてのＭＭデータをアップデートする。Ｇｓ関連付けと、ＳＧｓ関連付けとは、ＵＥについてのＶＬＲ５１４において同時にアクティブになることはできない。ＶＬＲ側の上では、１つの関連付けのアクティブ化は、他の関連付けの非アクティブ化をトリガすることになる。それゆえに、ＶＬＲ５１４は、ＵＥ５５０についてのＭＭコンテキストの中にＭＭＥ５３２とのＳＧｓ関連付けのインジケータを追加して、ＳＧｓ関連付けをアクティブにする。ＶＬＲ５１４の中のロケーション・レジスタは、それゆえに、ＵＥ５５０についての「ＳＧｓ関連付け（ＳＧｓ  ａｓｓｏｃｉａｔｅｄ）」のステータスを示すことになる。
【００５９】
ＶＬＲ５１４が、ＵＥ５５０のロケーション・レジスタの関連付けステータスを変更する場合、それはまた、先行する関連付けが存在したかどうかを決定することにもなる。この場合には、先行する関連付けは、Ｇｓ関連付けとしてＳＧＳＮ５２２に対して存在した。Ｇｓ関連付けがヌルでない場合、ＶＬＲ５１４は、ステータスを「Ｇｓ−ヌル」にリセットすることになる。このポイントにおいて、ＶＬＲ５１４の中のＵＥ５５０についてのＭＭコンテキストは、ＭＭＥ５３２とのＳＧｓ関連付けを示し、ＳＧＳＮ５２２とのＧｓ関連付けを示さないことになる。
【００６０】
たとえＶＬＲ５１４が、Ｇｓ関連付けを解除していたとしても、ＳＧＳＮ５２２は、依然として、Ｇｓ関連付けがＵＥ５５０についてのＶＬＲ５１４に対してアクティブであることを示す。ＭＭデータをＰＳドメインと同期させるために、ＶＬＲ５１４は、ＳＧＳＮ５２２について意図される解放インジケータを生成する。ＵＥ５５０が、別のネットワークにアタッチしているので、解放インジケータは、ＶＬＲ側の上のＧｓ関連付けが解除されていることをＳＧＳＮ５２２に対して示す。それゆえに、ＳＧＳＮ５２２は、ＵＥ５５０についてのＶＬＲ５１４とのＧｓ関連付けを非アクティブにし、または解放する必要がある。ＶＬＲ５１４は、Ｇｓ−解放−要求などのメッセージの中に解放インジケータを挿入し、Ｇｓ−解放−要求をＳＧＳＮ５２２に対して送信する。ＳＧＳＮ５２２が、Ｇｓ−解放−要求（原因が、「Ｇｓを解放する」を示している）を受信するときに、ＳＧＳＮ５２２は、そのロケーション・レジスタからＵＥ５５０についてのＧｓ関連付けを解除し、Ｇｓ関連付けステータスを「Ｇｓ−ヌル」に設定する。このポイントにおいて、ＭＭデータは、ＰＳドメインと、ＣＳドメインとの間で同期させられる。
【００６１】
図７は、例示の一実施形態においてＭＭデータを同期させるＶＬＲ５１４の別の例を示すメッセージ図である。この例においては、ＵＥ５５０は、ＬＴＥネットワークにアタッチされる。それゆえに、ＭＭＥ５３２にローカルに記憶されるようなＵＥ５５０についてのロケーション・レジスタは、ＶＬＲ５１４との関連付けを示す。ＭＭＥ５３２が、ＳＧｓインターフェースの上でＶＬＲ５１４との関連付けを有するときに、ＭＭＥ５３２は、ＵＥ５５０についてのロケーション・レジスタに「ＳＧｓ関連付け」のステータスを記憶する。またＶＬＲ５１４は、ＵＥ５５０についてのローカルに記憶されたＭＭコンテキストの中でＭＭＥ５３２との関連付けが存在することを示す。このようにして、ＶＬＲ５１４は、ＵＥ５５０についてのロケーション・レジスタに「ＳＧｓ関連付け」のステータスを記憶する。
【００６２】
ＬＴＥネットワークにアタッチした後に、ＵＥ５５０は、ＧＰＲＳネットワークのサービス・エリアへと移動する。これが、起こるときに、ＵＥ５５０は、ＳＧＳＮ５２２に対して組み合わされたＧＰＲＳ／ＩＭＳＩアタッチ要求を送信して、ＧＰＲＳネットワークにアタッチする。次いで、ＳＧＳＮ５２２は、Ｇｓインターフェースの上でＶＬＲ５１４に対してロケーション−アップデート−要求を送信する。ＶＬＲ５１４が、ロケーション−アップデート−要求を受信するときに、ＶＬＲ５１４は、ＵＥ５５０についてのＭＭデータをアップデートする。そのように行うために、ＶＬＲ５１４は、ＵＥ５５０についてのＭＭコンテキストの中にＳＧＳＮ５２２とのＧｓ関連付けのインジケータを追加して、Ｇｓ関連付けをアクティブにする。ＶＬＲ５１４の中のロケーション・レジスタは、このようにして、ＵＥ５５０についての「Ｇｓ関連付け」のステータスを示すことになる。
【００６３】
ＶＬＲ５１４が、ＵＥ５５０のロケーション・レジスタの関連付けステータスを変更する場合、それはまた、先行する関連付けが存在したかどうかを決定することにもなる。この場合には、先行する関連付けは、ＳＧｓ関連付けとしてＭＭＥ５３２に対して存在した。ＳＧｓ関連付けがヌルでない場合、ＶＬＲ５１４は、ステータスを「ＳＧｓ−ヌル」にリセットすることになる。このポイントにおいて、ＶＬＲ５１４の中のＵＥ５５０についてのＭＭコンテキストは、ＳＧＳＮ５２２とのＧｓ関連付けを示し、ＭＭＥ５３２とのＳＧｓ関連付けを示さないことになる。
【００６４】
たとえＶＬＲ５１４が、ＳＧｓ関連付けを解除していたとしても、ＭＭＥ５３２は、依然として、ＳＧｓ関連付けがＵＥ５５０についてのＶＬＲ５１４に対してアクティブであることを示す。ＭＭデータをＰＳドメインと同期させるために、ＶＬＲ５１４は、ＭＭＥ５３２について意図される解放インジケータを生成する。ＵＥ５５０が、別のネットワークにアタッチしているので、解放インジケータは、ＶＬＲ側の上のＳＧｓ関連付けが解除されていることをＭＭＥ５３２に対して示す。それゆえに、ＭＭＥ５３２は、ＵＥ５５０についてのＶＬＲ５１４とのＳＧｓ関連付けを非アクティブにし、または解放する必要がある。ＶＬＲ５１４は、ＳＧｓ−解放−要求などのメッセージの中に解放インジケータを挿入し、ＳＧｓ−解放−要求をＭＭＥ５３２に対して送信する。ＭＭＥ５３２が、ＳＧｓ−解放−要求（原因が、「ＳＧｓを解放する」を示している）を受信するときに、ＭＭＥ５３２は、ＵＥ５５０についてのＳＧｓ関連付けを解除し、ＳＧｓ関連付けステータスを「ＳＧｓ−ヌル」に設定する。このポイントにおいて、ＵＥ５５０についてのＭＭデータは、ＰＳドメインと、ＣＳドメインとの間で同期させられる。
【００６５】
図面に示され、または本明細書において説明される様々な要素のうちの任意のものは、ハードウェア、ソフトウェア、ファームウェア、またはこれらの何らかの組合せとして実施されることもある。例えば、要素は、専用のハードウェアとして実施されることもある。専用のハードウェア要素は、「プロセッサ」、「コントローラ」、または何らかの類似した専門用語として称されることもある。プロセッサによって提供されるときに、それらの機能は、単一の専用プロセッサにより、単一の共用プロセッサにより、またはそれらのうちのいくつかが共用され得る複数の個別プロセッサにより提供されることもある。さらに、用語「プロセッサ」または「コントローラ」の明示的な使用は、ソフトウェアを実行することができるハードウェアだけを排他的に意味するように解釈されるべきではなく、また限定することなく、デジタル信号プロセッサ（ＤＳＰ：ｄｉｇｉｔａｌ  ｓｉｇｎａｌ  ｐｒｏｃｅｓｓｏｒ）ハードウェア、ネットワーク・プロセッサ、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）または他の回路、フィールド・プログラマブル・ゲート・アレイ（ＦＰＧＡ：ｆｉｅｌｄ  ｐｒｏｇｒａｍｍａｂｌｅ  ｇａｔｅ  ａｒｒａｙ）、ソフトウェアを記憶するためのリード・オンリー・メモリ（ＲＯＭ：ｒｅａｄ  ｏｎｌｙ  ｍｅｍｏｒｙ）、ランダム・アクセス・メモリ（ＲＡＭ：ｒａｎｄｏｍ  ａｃｃｅｓｓ  ｍｅｍｏｒｙ）、不揮発性ストレージ、ロジック、あるいは何らかの他の物理的ハードウェアの構成要素またはモジュールを暗黙のうちに含むことができる。
【００６６】
また、要素は、プロセッサまたはコンピュータによって実行可能な命令として実施されて、要素の機能を実行することもできる。命令のいくつかの例は、ソフトウェア、プログラム・コード、およびファームウェアである。命令は、プロセッサによって実行されるときに、要素の機能を実行するようにプロセッサに指示するように動作可能である。それらの命令は、プロセッサによって読取り可能であるストレージ・デバイスの上に記憶されることもある。ストレージ・デバイスのいくつかの例は、デジタル・メモリまたはソリッド・ステート・メモリ、磁気ディスクや磁気テープなどの磁気ストレージ媒体、ハード・ドライブ、あるいは光学的に読取り可能なデジタル・データ・ストレージ媒体である。
【００６７】
特定の実施形態が、本明細書において説明されたが、本発明の範囲は、これらの特定の実施形態だけには限定されるものではない。本発明の範囲は、以下の特許請求の範囲と、その任意の均等物とによって規定される。
【図１】
2015510336.tif 000003
【図２】
2015510336.tif 000004
【図３】
2015510336.tif 000005
【図４】
2015510336.tif 000006
【図５】
2015510336.tif 000007
【図６】
2015510336.tif 000008
【図７】
2015510336.tif 000009
【国際調査報告】
2015510336.tif 000010
2015510336.tif 000011
2015510336.tif 000012